(57)【要約】【課題】ベタ基礎の排水効率が改善された排水構造を提供する。【解決手段】建物の施工面に設置されたスラブ２と、スラブ２の上面に立設された立上り部３とを含むベタ基礎１において、立上り部３よりもベタ基礎１の内側のスラブ２の上面に溜まった水をベタ基礎１の外部に排水するための排水構造１０は、立上り部３よりもベタ基礎１の内側のスラブ２の上面の所定位置に設けられた凹部３０Ａと、立上り部３の下方を通過して凹部３０Ａの下部とスラブ２の側面とを連通する貫通孔２０Ｂとを備える。凹部３０Ａの底面は貫通孔２０Ｂに近接するほど高さが低くなるように傾斜している。凹部３０Ａのスラブ２の上面における開口３１は平面視で貫通孔２０Ｂの延びる方向と直交する方向の幅が少なくとも貫通孔２０Ｂ側の所定範囲内において貫通孔２０Ｂの直径よりも大きくなるように形成されている。【選択図】図４
2016008445.tif 000002
【特許請求の範囲】
【請求項１】
建物の施工面に設置され、上面と側面とを有するスラブと、上記スラブの上面に立設された立上り部とを含むベタ基礎において、上記立上り部よりもベタ基礎の内側のスラブの上面に溜まった水をベタ基礎の外部に排水するための排水構造であって、
上記立上り部よりもベタ基礎の内側のスラブの上面の所定位置に設けられた凹部と、
上記立上り部の下方を通過して上記凹部の下部と上記スラブの側面とを連通する貫通孔とが備えられ、
上記凹部の底面は、上記貫通孔に近接するほど高さが低くなるように傾斜しており、
上記凹部の上記スラブの上面における開口は、平面視で上記貫通孔の延びる方向と直交する方向の幅が、少なくとも上記貫通孔側の所定範囲内において、上記貫通孔の直径よりも大きくなるように形成されていることを特徴とする排水構造。
【請求項２】
請求項１に記載の排水構造において、
上記凹部は、上記スラブの上面に埋設された凹部形成部材の凹部により形成され、上記貫通孔は、上記スラブの内部に埋設された管状部材の貫通孔により形成されていることを特徴とする排水構造。
【請求項３】
請求項１に記載の排水構造において、
上記凹部は、上記スラブの上面に作られた陥没部により形成され、上記貫通孔は、上記スラブの内部に埋設された管状部材の貫通孔により形成されていることを特徴とする排水構造。
【請求項４】
請求項１から３のいずれか１項に記載の排水構造において、
上記凹部と上記貫通孔との境界部に異物の往来を遮断するための異物遮断部材が配設されていることを特徴とする排水構造。
【請求項５】
請求項３に記載の排水構造において、
上記陥没部は、上記スラブの上面に埋設された凹部形成部材を上記スラブから除去することにより作られたものであることを特徴とする排水構造。
【請求項６】
請求項５に記載の排水構造において、
上記凹部形成部材における上記貫通孔との境界部に異物の往来を遮断するための異物遮断部材が切り離し容易に設けられ、上記凹部形成部材を上記スラブから除去するときに上記異物遮断部材が上記スラブ側に残存することにより、上記凹部と上記貫通孔との境界部に上記異物遮断部材が配設されていることを特徴とする排水構造。
【請求項７】
請求項４又は６に記載の排水構造において、
上記貫通孔に通じる開口部を上記異物遮断部材を介して排水可能に塞ぐように上記凹部内に防蟻剤が配設されていることを特徴とする排水構造。
【請求項８】
請求項２から７のいずれか１項に記載の排水構造において、
上記管状部材の周面にスラブとの間隙を封止するためのシーリング材が設けられていることを特徴とする排水構造。
【請求項９】
請求項１から８のいずれか１項に記載の排水構造において、
上記貫通孔は、スラブの側面に近接するほど高さが低くなるように傾斜していることを特徴とする排水構造。
【発明の詳細な説明】
【技術分野】
【０００１】
本発明は、排水構造、より詳しくは、建物のベタ基礎のスラブの上面に溜まった雨水等の水を排水するための排水構造に関する。
【背景技術】
【０００２】
戸建て住宅や集合住宅等の基礎の１つとして、建物の施工面全体をコンクリートで覆うベタ基礎が知られている。ベタ基礎は、建物の施工面に設置され、上面と側面とを有するスラブと、上記スラブの上面に立設された立上り部とを含む構成である。立上り部よりもベタ基礎の内側（以下単に「立上り部よりも内側」という場合がある）のスラブは、立上り部によってベタ基礎の外部と隔離されるので、建物の施工中、ベタ基礎の上方が開放していると、雨水等の水がその上面に溜まる。そのため、溜まった水をベタ基礎の外部に排水する必要がある。
【０００３】
そのような排水構造として、特許文献１には、スラブに埋設された本管部と、スラブ内に埋設されると共に、本管部からスラブ側に向けて延設され、上部が開口された集水樋部とを有し、集水樋部の上縁の高さ位置がスラブの上面以下に形成された排水構造が開示されている。これによれば、スラブに溜まった水が集水樋部に容易に流れ込み、本管部を介して外部に排水される。その際、水が流れ込む集水樋部の上縁の高さ位置がスラブの上面の位置以下に形成されているため、排水構造の集水効率及び排水効率を高めることができる。
【先行技術文献】
【特許文献】
【０００４】
【特許文献１】特許第５０６８５６９号公報
【発明の概要】
【発明が解決しようとする課題】
【０００５】
しかし、特許文献１に開示される排水構造では、集水樋部のスラブ上面の開口の幅が本管部の直径と同じで比較的細いため、集水樋部から水が溢れ易く、この点において集水効率ひいては排水効率が低下する可能性がある。
【０００６】
そこで、本発明は、排水効率がさらに改善された排水構造の提供を目的とする。
【課題を解決するための手段】
【０００７】
上記課題を解決するためのものとして、本発明は、建物の施工面に設置され、上面と側面とを有するスラブと、上記スラブの上面に立設された立上り部とを含むベタ基礎において、上記立上り部よりもベタ基礎の内側のスラブの上面に溜まった水をベタ基礎の外部に排水するための排水構造であって、上記立上り部よりもベタ基礎の内側のスラブの上面の所定位置に設けられた凹部と、上記立上り部の下方を通過して上記凹部の下部と上記スラブの側面とを連通する貫通孔とが備えられ、上記凹部の底面は、上記貫通孔に近接するほど高さが低くなるように傾斜しており、上記凹部の上記スラブの上面における開口は、平面視で上記貫通孔の延びる方向と直交する方向の幅が、少なくとも上記貫通孔側の所定範囲内において、上記貫通孔の直径よりも大きくなるように形成されていることを特徴とする。
【０００８】
本発明によれば、立上り部よりも内側のスラブの上面に溜まった水が凹部に流れ込み、貫通孔を介してベタ基礎の外部に排水される。その際、凹部の底面が貫通孔に向けて傾斜しているので、凹部に流れ込んだ水が円滑に貫通孔へ導かれる。その上で、水が流れ込む凹部のスラブ上面の開口（凹部開口）の幅が、少なくとも凹部の深さが深くなる貫通孔側の所定範囲内において、貫通孔の直径よりも大きいため、凹部全体の容量が比較的大きいものとなる。そのため、たとえスラブの上面に溜まった水が大量で一度に大量の水が凹部に流れ込んでも、凹部から水が溢れる可能性が少なくなる。その結果、集水効率ひいては排水効率がさらに改善された排水構造が提供される。
【０００９】
本発明においては、上記凹部は、上記スラブの上面に埋設された凹部形成部材の凹部により形成され、上記貫通孔は、上記スラブの内部に埋設された管状部材の貫通孔により形成されていることが好ましい。
【００１０】
この構成によれば、スラブを築くためのコンクリートの打設時に、凹部形成部材をスラブの上面に埋設し、管状部材をスラブの内部に埋設することにより、排水構造の凹部及び貫通孔が簡単・容易に形成される。
【００１１】
本発明においては、上記凹部は、上記スラブの上面に作られた陥没部により形成され、上記貫通孔は、上記スラブの内部に埋設された管状部材の貫通孔により形成されていることが好ましい。
【００１２】
この構成によれば、排水構造の凹部がスラブ上面の陥没部により形成され、凹部形成部材の埋設により形成されていないので、凹部形成部材とスラブとの間の間隙を介してシロアリがベタ基礎の内側に侵入するということがない。
【００１３】
本発明においては、上記凹部と上記貫通孔との境界部に異物の往来を遮断するための異物遮断部材が配設されていることが好ましい。
【００１４】
この構成によれば、例えば、凹部側から貫通孔側にゴミやホコリ等が入ることが防がれ、貫通孔側から凹部側に虫や小動物等が入ることが防がれる。
【００１５】
本発明においては、上記陥没部は、上記スラブの上面に埋設された凹部形成部材を上記スラブから除去することにより作られたものであることが好ましい。
【００１６】
この構成によれば、スラブを築くためのコンクリートの打設時に凹部形成部材をスラブの上面に埋設し、コンクリートの硬化後に上記凹部形成部材をスラブから除去することにより、上記陥没部が簡単・容易に作られる。
【００１７】
本発明においては、上記凹部形成部材における上記貫通孔との境界部に異物の往来を遮断するための異物遮断部材が切り離し容易に設けられ、上記凹部形成部材を上記スラブから除去するときに上記異物遮断部材が上記スラブ側に残存することにより、上記凹部と上記貫通孔との境界部に上記異物遮断部材が配設されていることが好ましい。
【００１８】
この構成によれば、スラブを築くためのコンクリートの打設時に凹部形成部材をスラブの上面に埋設し、コンクリートの硬化後に上記凹部形成部材をスラブから除去することにより、上記陥没部が簡単・容易に作られると共に、上記異物遮断部材が上記境界部に簡単・容易に配設される。
【００１９】
本発明においては、上記貫通孔に通じる開口部を上記異物遮断部材を介して排水可能に塞ぐように上記凹部内に防蟻剤が配設されていることが好ましい。
【００２０】
この構成によれば、貫通孔を介してシロアリがベタ基礎の内側に侵入することが防がれる。
【００２１】
本発明においては、上記管状部材の周面にスラブとの間隙を封止するためのシーリング材が設けられていることが好ましい。
【００２２】
この構成によれば、管状部材とスラブとの間の間隙を介してシロアリがベタ基礎の内側に侵入することが防がれる。
【００２３】
本発明においては、上記貫通孔は、スラブの側面に近接するほど高さが低くなるように傾斜していることが好ましい。
【００２４】
この構成によれば、貫通孔に流れ込んだ水が貫通孔を介してベタ基礎の外部により円滑に排水される。
【発明の効果】
【００２５】
本発明は、排水効率がさらに改善された排水構造を提供するから、建物のベタ基礎のスラブの上面に溜まった雨水等の水を排水するための排水構造の技術の発展・向上に寄与する。
【図面の簡単な説明】
【００２６】
【図１】本発明の第１の実施形態に係る排水構造の縦断面図である。
【図２】図１の要部拡大図である。
【図３】図２のＩＩＩ−ＩＩＩ線に沿う断面図である。
【図４】図１の排水構造の要部平面図である。
【図５】図１の排水構造を施工する際のスラブ及び立上り部を築くためのコンクリート打設前の状態を示す縦断面図である。
【図６】第１の実施形態に係る凹部形成部材（流入防止壁部は図示せず）の斜視図である。
【図７】本発明の第２の実施形態に係る排水構造を施工する際のスラブ及び立上り部を築くためのコンクリート打設前の状態を示す縦断面図である。
【図８】図７の状態からスラブ及び立上り部を築いた後の状態を示す縦断面図である。
【図９】図８の状態から凹部形成部材をスラブから除去した後の状態を示す縦断面図である。
【図１０】図９の状態から凹部（陥没部）内に防蟻剤を配設した後の状態を示す縦断面図である。
【図１１】図１０のＸＩ−ＸＩ線に沿う断面図である。
【図１２】第２の実施形態に係る排水構造の要部平面図である。
【図１３】第２の実施形態に係る一体化部材（流入防止壁部は図示せず）の斜視図である。
【発明を実施するための形態】
【００２７】
＜第１の実施形態＞
（構成）
図１〜図６を参照して本発明の第１の実施形態を説明する。本実施形態では、本発明の排水構造１０は、戸建て住宅等の建物（図示せず）の施工面全体を覆う鉄筋コンクリート製のベタ基礎１に適用されている（図中の符号Ｍは鉄筋を示す）。すなわち、ベタ基礎１は、建物の施工面に設置されたスラブ２と、上記スラブ２の上面に立設された立上り部３とを含む構成である。スラブ２は上面と側面とを有する扁平な箱形状に形成され、立上り部３はスラブ２の周縁部に沿って連続する所定厚みの縦壁状に形成される。
【００２８】
立上り部３よりもベタ基礎１の内側にあるスラブ２は、立上り部３によってベタ基礎１の外部と隔離されるので、建物の施工中、ベタ基礎１の上方が開放していると、雨水等の水がその上面に溜まる。排水構造１０は、そのような立上り部３よりも内側のスラブ２の上面に溜まった水をベタ基礎１の外部に排水するためのものである。
【００２９】
排水構造１０は、立上り部３よりも内側のスラブ２の上面に設けられた凹部Ａと、立上り部３の下方を通過して上記凹部Ａの下部と上記スラブ２の側面とを連通する貫通孔Ｂとを備える。本実施形態では、凹部Ａは、立上り部３の基部に隣接する位置に配置されている。
【００３０】
凹部Ａは、スラブ２の上面に溜まった水を効率よく集めて貫通孔Ｂへ導く集水部として機能する。貫通孔Ｂは、例えば円筒形状や角筒形状に形成され、凹部Ａから流れ込んでくる水をベタ基礎１の外部に排出する排水管として機能する。
【００３１】
なお、図１は、建物が完成したときの状態を示している。すなわち、施工地盤５の上に砕石６が敷かれ、捨てコンクリート７で水平を出した上に、ベタ基礎１が形成されている。ベタ基礎１の外側下部は盛土４で覆われている。建物の完成時には貫通孔Ｂの外側端部（スラブ２の側面側の端部）２３は盛土４より上に位置し、外部に露出する。ただし、これに限らず、例えば貫通孔Ｂの外側端部２３を埋め戻してもよい。その場合、砕石で埋め戻し、砕石間に排水されるようにする。また、いずれの場合も、上記外側端部２３を蓋部材等（図示せず）で塞いでもよい。
【００３２】
本実施形態では、排水構造１０の凹部Ａは、スラブ２の上面に埋設された凹部形成部材３０の凹部３０Ａにより形成され、排水構造１０の貫通孔Ｂは、スラブ２の内部に埋設された管状部材２０の貫通孔２０Ｂにより形成されている。両部材２０，３０とも例えば塩化ビニル等の樹脂の成形品である。
【００３３】
凹部形成部材３０の凹部３０Ａのスラブ２の上面における開口（凹部開口）３１は、平面視で四角形状であり、平面視で管状部材２０の貫通孔２０Ｂの延びる方向に沿って所定の長さだけ延設されている。上記凹部開口３１の延設方向と直交する方向における上記凹部開口３１の幅は、上記凹部開口３１の延設長さの全長に亘って、管状部材２０の貫通孔２０Ｂの直径よりも大きい値に形成されている（図４参照）。
【００３４】
管状部材２０の貫通孔２０Ｂは、内側端部（凹部Ａ側の端部）から外側端部２３に向かうほど、言い換えると、スラブ２の側面に近接するほど高さが低くなるように傾斜している。凹部形成部材３０の１つの側壁の下部に差込管部３３が突設されている。差込管部３３は凹部形成部材３０の凹部３０Ａの下部に開口する開口部３４を有する。差込管部３３はベタ基礎１の外側に向かうほど高さが低くなるように傾斜しており、管状部材２０の貫通孔２０Ｂの内側端部に差し込まれている。凹部形成部材３０の凹部３０Ａの底面は上記開口部３４、差込管部３３及び管状部材２０の貫通孔２０Ｂに近接するほど高さが低くなるように傾斜している（傾斜部３２）。
【００３５】
以上により、差込管部３３を介して凹部形成部材３０と管状部材２０とが相互連結された相互連結体が形成され、この相互連結体は、凹部形成部材３０の凹部３０Ａの底面から差込管部３３を介して管状部材２０の貫通孔２０Ｂに亘って連続して排水方向に向かうほど高さが低くなるように傾斜している。
【００３６】
また、凹部形成部材３０の凹部３０Ａの深さが貫通孔２０Ｂ側ほど深くなっているため、凹部開口３１の幅が凹部開口３１の延設長さの全長に亘って貫通孔２０Ｂの直径よりも大きい値に形成されていることと併せて、凹部形成部材３０の凹部３０Ａ全体の容量が比較的大きいものとなっている。言い換えると、凹部開口３１の幅が、少なくとも凹部３０Ａの深さが深くなる貫通孔２０Ｂ側の所定範囲内において、貫通孔２０Ｂの直径よりも大きいため、凹部３０Ａ全体の容量が比較的大きいものとなっている。
【００３７】
管状部材２０の周面に、管状部材２０とスラブ２との間の間隙を封止するためのシーリング材２１が設けられている。シーリング材２１としては、コンクリートとの密着性が良好な、例えばブチルゴム製の両面接着テープやポリマーセメント等が好ましく使用可能である。
【００３８】
凹部形成部材３０の凹部３０Ａと管状部材２０の貫通孔２０Ｂとの境界部に、異物の往来を遮断するためのメッシュ部材（異物遮断部材）３５が配設されている。メッシュ部材３５は、所定の細かさの目開きを有し、ステンレス等の金属製又は塩化ビニル等の樹脂製である。メッシュ部材３５は、上記差込管部３３が突設された凹部形成部材３０の側壁の内面に、上記差込管部３３の開口部３４を覆うように固着されている（図３参照）。
【００３９】
管状部材２０の貫通孔２０Ｂに通じる差込管部３３の開口部３４を上記メッシュ部材３５を介して塞ぐように凹部形成部材３０の凹部３０Ａ内に防蟻剤４０が配設されている。より詳しくは、防蟻剤４０は、上記差込管部３３の開口部３４及びメッシュ部材３５を隠すように凹部形成部材３０の凹部３０Ａ内に充填されている（図２参照）。
【００４０】
本実施形態では、防蟻剤４０は、化学薬剤を使用せず無機物で調製された粒状製品である。凹部形成部材３０の凹部３０Ａ内に充填された状態において、防蟻剤４０同士の間隙が狭いため、シロアリは防蟻剤４０の間を通ることができない。防蟻剤４０は比重が大きいため、シロアリは防蟻剤４０を動かすことができない。防蟻剤４０は硬度が大きいため、シロアリは防蟻剤４０をかじって壊すことができない。以上により、管状部材２０の貫通孔２０Ｂを通って侵入してきたシロアリは凹部形成部材３０の凹部３０Ａ内に入ることができない。このような粒状製品としては、例えば、ガラス粉砕物（粒材）等が好適である。
【００４１】
防蟻剤４０はメッシュ部材３５を通過しない粒径に調製されている。そのため、防蟻剤４０は凹部形成部材３０の凹部３０Ａ内に充填されても管状部材２０の貫通孔２０Ｂに落下しない。防蟻剤４０は粒状である。そのため、防蟻剤４０は凹部形成部材３０の凹部３０Ａ内に充填されても排水の支障とならない。
【００４２】
なお、凹部形成部材３０には、当初、凹部開口３１の周縁部に凹部開口３１を取り囲むように流入防止壁部３９が立設されているが、次に説明するように、流入防止壁部３９は排水構造１０の施工中に凹部形成部材３０から除去されるので、図５以外の図面には示されていない。
【００４３】
以上のような排水構造１０は、およそ次のようにして施工される。
【００４４】
立上り部３よりもベタ基礎１の内側に隣接する位置において、捨てコンクリート７の上に複数の支持脚５０を載置する（図５参照）。支持脚５０間に支持棒５１を架設する（図３及び図４参照）。差込管部３３を介して凹部形成部材３０と管状部材２０とを相互連結した相互連結体を準備する。相互連結体にはメッシュ部材３５が固着済である。相互連結体の凹部形成部材３０に一体成形された支持用板部３６を上記支持棒５１にひっかける（図２参照）。これにより、相互連結体の凹部形成部材３０の凹部３０Ａが立上り部３よりも内側のスラブ２の上面における立上り部３の基部に隣接する位置に配置されるように相互連結体を支持脚５０上に支持する。相互連結体の凹部形成部材３０に一体成形された結束用突起部３７をワイヤで鉄筋Ｍに結束する（図３参照）。これにより、相互連結体をぐらつかないように固定する。
【００４５】
この状態で、型枠Ｗを立て、コンクリートを打設して、スラブ２及び立上り部３を順に築く（図５参照）。このとき、凹部形成部材３０の凹部開口３１を取り囲む流入防止壁部３９により、コンクリートが凹部形成部材３０の凹部３０Ａの中に流入することが防止される（図２及び図３参照）。コンクリートの硬化後、型枠Ｗを脱型し、流入防止壁部３９を凹部形成部材３０から除去する。このとき、流入防止壁部３９の残部がスラブ２の上面よりも上方に突出しないように留意する。そして、防蟻剤４０を凹部形成部材３０の凹部３０Ａ内に充填する。
【００４６】
（作用）
以上のように、第１の実施形態においては、建物の施工面に設置され、上面と側面とを有するスラブ２と、上記スラブ２の上面に立設された立上り部３とを含むベタ基礎１において、上記立上り部３よりもベタ基礎１の内側のスラブ２の上面に溜まった水をベタ基礎１の外部に排水するための排水構造１０は、上記立上り部３よりもベタ基礎１の内側のスラブ２の上面の所定位置（立上り部３の基部に隣接する位置）に設けられた凹部Ａと、上記立上り部３の下方を通過して上記凹部Ａの下部と上記スラブ２の側面とを連通する貫通孔Ｂとを備える。上記凹部Ａの底面は、上記貫通孔Ｂに近接するほど高さが低くなるように傾斜している。上記凹部Ａの上記スラブ２の上面における凹部開口３１は、平面視で上記貫通孔Ｂの延びる方向と直交する方向の幅が、少なくとも上記貫通孔Ｂ側の所定範囲内において、上記貫通孔Ｂの直径よりも大きくなるように形成されている。
【００４７】
この構成によれば、立上り部３よりも内側のスラブ２の上面に溜まった水が凹部Ａに流れ込み、貫通孔Ｂを介してベタ基礎１の外部に排水される。その際、凹部Ａの底面が貫通孔Ｂに向けて傾斜しているので、凹部Ａに流れ込んだ水が円滑に貫通孔Ｂへ導かれる。その上で、水が流れ込む凹部Ａのスラブ２上面の凹部開口３１の幅が、少なくとも凹部Ａの深さが深くなる貫通孔Ｂ側の所定範囲内において、貫通孔Ｂの直径よりも大きいため、凹部Ａ全体の容量が比較的大きいものとなる。そのため、たとえスラブ２の上面に溜まった水が大量で一度に大量の水が凹部Ａに流れ込んでも、凹部Ａから水が溢れる可能性が少なくなる。その結果、集水効率ひいては排水効率がさらに改善された排水構造１０が提供される。
【００４８】
第１の実施形態においては、上記凹部Ａは、上記スラブ２の上面に埋設された凹部形成部材３０の凹部３０Ａにより形成され、上記貫通孔Ｂは、上記スラブ２の内部に埋設された管状部材２０の貫通孔２０Ｂにより形成されている。
【００４９】
この構成によれば、スラブ２を築くためのコンクリートの打設時に、凹部形成部材３０をスラブ２の上面に埋設し、管状部材２０をスラブ２の内部に埋設することにより、排水構造１０の凹部Ａ及び貫通孔Ｂが簡単・容易に形成される。
【００５０】
第１の実施形態においては、上記凹部Ａと上記貫通孔Ｂとの境界部に異物の往来を遮断するためのメッシュ部材３５が配設されている。
【００５１】
この構成によれば、例えば、凹部Ａ側から貫通孔Ｂ側にゴミやホコリ等が入ることが防がれ、貫通孔Ｂ側から凹部Ａ側に虫や小動物等が入ることが防がれる。
【００５２】
第１の実施形態においては、上記貫通孔Ｂに通じる差込管部３３の開口部３４を上記メッシュ部材３５を介して排水可能に塞ぐように上記凹部Ａ内に防蟻剤４０が配設されている。
【００５３】
この構成によれば、貫通孔Ｂを介してシロアリがベタ基礎１の内側に侵入することが防がれる。
【００５４】
第１の実施形態においては、上記管状部材２０の周面にスラブ２との間隙を封止するためのシーリング材２１が設けられている。
【００５５】
この構成によれば、管状部材２０とスラブ２との間の間隙を介してシロアリがベタ基礎１の内側に侵入することが防がれる。
【００５６】
第１の実施形態においては、上記貫通孔Ｂは、スラブ２の側面に近接するほど高さが低くなるように傾斜している。
【００５７】
この構成によれば、貫通孔Ｂに流れ込んだ水が貫通孔Ｂを介してベタ基礎１の外部により円滑に排水される。
【００５８】
第１の実施形態においては、上記凹部Ａは、立上り部３の基部に隣接する位置に配置されている。
【００５９】
この構成によれば、例えばスラブ２の上面をスイープしてスラブ２の上面に溜まった水を凹部Ａに集めたときに水が立上り部３の基部にぶつかって凹部Ａに入り易くなる。
【００６０】
第１の実施形態においては、上記凹部開口３１の幅は、上記凹部開口３１の延設長さの全長に亘って、上記貫通孔Ｂの直径よりも大きい値に形成されている。
【００６１】
この構成によれば、凹部Ａ全体の容量がより一層大きいものとなり、排水構造１０の排水効率がより一層高められる。
【００６２】
＜第２の実施形態＞
（構成）
図７〜図１３を参照して本発明の第２の実施形態を説明する。第１の実施形態では、排水構造１０の凹部Ａは、スラブ２の上面に埋設された凹部形成部材３０の凹部３０Ａにより形成され、排水構造１０の貫通孔Ｂは、スラブ２の内部に埋設された管状部材２０の貫通孔２０Ｂにより形成されていたが、この第２の実施形態においては、排水構造１０の凹部Ａは、スラブ２の上面に作られた陥没部１４０により形成される点が異なっている。第１の実施形態と同じ又は類似する構成要素には第１の実施形態と同じ符号を用いて第１の実施形態と相違する点を中心に説明する。
【００６３】
まず、本実施形態で用いる一体化部材２００について説明する（図１３参照）。この一体化部材２００は、第１の実施形態の凹部形成部材３０に相当する凹部形成部材１３０と、同じく第１の実施形態の管状部材２０に相当する管状部材１２０とが一体成形されたものである。
【００６４】
管状部材１２０は、第１の実施形態の貫通孔２０Ｂに相当する貫通孔１２０Ｂ（図７参照）と、シーリング材２１に相当するシーリング材１２１（図例はブチルゴム製の両面接着テープを示す）と、管状部材１２０の貫通孔１２０Ｂに通じる開口部である点で差込管部３３の開口部３４に相当する内側開口部１２２（図７参照）と、外側端部２３に相当する外側端部１２３とを有する。
【００６５】
凹部形成部材１３０は、第１の実施形態の凹部３０Ａに相当する凹部１３０Ａと、凹部開口３１に相当する凹部開口１３１と、傾斜部３２に相当する傾斜部１３２と、メッシュ部材３５に相当するメッシュ部材１３５と、流入防止壁部３９に相当する流入防止壁部１３９（図７参照）とを有する。
【００６６】
メッシュ部材１３５は、凹部形成部材１３０の凹部１３０Ａと管状部材１２０の貫通孔１２０Ｂとの境界部に配設されている（図７参照）。メッシュ部材１３５は、上記管状部材１２０が突設された凹部形成部材１３０の側壁の内面に、上記内側開口部１２２を覆うように固着されている。
【００６７】
メッシュ部材１３５が配設された凹部形成部材１３０の側壁の部分（「残存部材」という）１３６の周囲に切れ込み１３６ｘが形成されている。そのため、上記残存部材１３６の周囲は薄肉となっており、上記残存部材１３６及びメッシュ部材１３５は凹部形成部材１３０に切り離し容易に設けられている。
【００６８】
一体化部材２００は、凹部形成部材１３０の凹部１３０Ａの底面から管状部材１２０の貫通孔１２０Ｂに亘って連続して排水方向に向かうほど高さが低くなるように傾斜している。
【００６９】
以上のような一体化部材２００を用いた排水構造１０の施工方法はおよそ次のようなものである。
【００７０】
一体化部材１３０の凹部形成部材１３０の凹部１３０Ａが立上り部３よりも内側のスラブ２の上面における立上り部３の基部に隣接する位置に配置されるように一体化部材２００を図示しない適宜の結束具等を用いて鉄筋Ｍに固定して支持する（図７参照）。一体化部材２００にはメッシュ部材１３５が固着済である。
【００７１】
この状態で、型枠Ｗを立て、コンクリートを打設して、スラブ２及び立上り部３を順に築く（図８参照）。このとき、凹部形成部材１３０の凹部開口１３１を取り囲む流入防止壁部１３９により、コンクリートが凹部形成部材１３０の凹部１３０Ａの中に流入することが防止される。
【００７２】
コンクリートの硬化後、型枠Ｗを脱型し、凹部形成部材１３０をスラブ２から除去する。これにより、凹部形成部材１３０を除去したあとのスラブ２の上面に陥没部１４０が作られる（図９参照）。この陥没部１４０は、この第２の実施形態に係る排水構造１０の凹部Ａを形成する。陥没部１４０は、第１の実施形態の凹部開口３１に相当する凹部開口１４１と、傾斜部３２に相当する傾斜部１４２とを有する。
【００７３】
凹部形成部材１３０をスラブ２から除去するときに、残存部材１３６及びメッシュ部材１３５が凹部形成部材１３０から切り離されてスラブ２側に残存する（図９参照）。これにより、陥没部１４０と管状部材１２０の貫通孔１２０Ｂとの境界部にメッシュ部材１３５が残存部材１３６を介して配設される。そして、防蟻剤４０を陥没部１４０内に充填する（図１０〜図１２参照）。
【００７４】
以上のようにして施工されたこの第２の実施形態に係る排水構造１０においても、第１の実施形態と同様、陥没部１４０のスラブ２の上面における凹部開口１４１は、平面視で管状部材１２０の貫通孔１２０Ｂの延びる方向に沿って所定の長さだけ延設されている。上記凹部開口１４１の延設方向と直交する方向における上記凹部開口１４１の幅は、上記凹部開口１４１の延びる側の先端部を除く貫通孔１２０Ｂ側の所定範囲内において、管状部材１２０の貫通孔１２０Ｂの直径よりも大きい値に形成されている（図１２参照）。
【００７５】
陥没部１４０の傾斜部１４２は上記内側開口部１２２及び管状部材１２０の貫通孔１２０Ｂに近接するほど高さが低くなるように傾斜している（図１０及び図１１参照）。言い換えると、陥没部１４０の深さが貫通孔１２０Ｂ側ほど深くなっている。そのため、凹部開口１４１の幅が陥没部１４０の深さが深くなる貫通孔１２０Ｂ側の所定範囲内において貫通孔１２０Ｂの直径よりも大きい値に形成されていることと併せて、陥没部１４０全体の容量が比較的大きいものとなっている。
【００７６】
（作用）
以上のように、第２の実施形態においては、排水構造１０の凹部Ａは、上記スラブ２の上面に作られた陥没部１４０により形成され、排水構造１０の貫通孔Ｂは、上記スラブ２の内部に埋設された管状部材１２０の貫通孔１２０Ｂにより形成されている。
【００７７】
この構成によれば、排水構造１０の凹部Ａがスラブ２上面の陥没部１４０により形成され、凹部形成部材１３０の埋設により形成されていないので、凹部形成部材１３０とスラブ２との間の間隙を介してシロアリがベタ基礎１の内側に侵入するということがない。
【００７８】
第２の実施形態においては、上記陥没部１４０は、上記スラブ２の上面に埋設された凹部形成部材１３０を上記スラブ２から除去することにより作られたものである。
【００７９】
この構成によれば、スラブ２を築くためのコンクリートの打設時に凹部形成部材１３０をスラブ２の上面に埋設し、コンクリートの硬化後に上記凹部形成部材１３０をスラブ２から除去することにより、上記陥没部１４０が簡単・容易に作られる。
【００８０】
第２の実施形態においては、上記凹部形成部材１３０における上記貫通孔１２０Ｂとの境界部に異物の往来を遮断するためのメッシュ部材１３５が切り離し容易に設けられ、上記凹部形成部材１３０を上記スラブ２から除去するときに上記メッシュ部材１３５が上記スラブ２側に残存することにより、上記凹部Ａと上記貫通孔Ｂとの境界部に上記メッシュ部材１３５が配設されている。
【００８１】
この構成によれば、スラブ２を築くためのコンクリートの打設時に凹部形成部材１３０をスラブ２の上面に埋設し、コンクリートの硬化後に上記凹部形成部材１３０をスラブ２から除去することにより、上記陥没部１４０が簡単・容易に作られると共に、上記メッシュ部材１３５が上記境界部に簡単・容易に配設される。
【００８２】
＜他の実施形態＞
上記実施形態では、凹部Ａを、立上り部３よりも内側のスラブ２の上面における立上り部３の基部に隣接する位置に配置したが、これに限らず、他の位置、例えば立上り部３よりも内側のスラブ２の上面における立上り部３の基部から所定距離離間した位置等に配置しても構わない。その場合、スラブ２の上面を凹部Ａに向けて高さが低くなるように傾斜させてもよい。
【００８３】
上記実施形態では、打設時のコンクリートの流入防止のために凹部開口３１，１３１を取り囲む流入防止壁部３９，１３９を立設したが、これに限らず、例えば、凹部開口３１，１３１の全面を覆うような蓋状部材でもよい。
【００８４】
第１の実施形態では、施工時に支持棒５１を用いたが、これに代えて、支持脚５０で直接支持してもよい。また、支持脚５０は、例えば、ボルト体とナット体とにより高さ調整可能なものでもよい。また、支持脚５０は、凹部形成部材３０に一体成形されていてもよい。
【００８５】
第１の実施形態では、凹部形成部材３０と管状部材２０とを別々に成形し、成形後に差込管部３３を介して相互連結するようにしたが、これに限らず、凹部形成部材３０と管状部材２０とを一体成形してもよい。
【００８６】
第２の実施形態では、凹部形成部材１３０をスラブ２から除去するときに、メッシュ部材１３５がスラブ２側に残存するようにしたが、これに限らず、凹部形成部材１３０をスラブ２から除去するときに、メッシュ部材１３５がスラブ２側に残存しなくても構わない。その場合、別途後から、陥没部１４０と管状部材１２０の貫通孔１２０Ｂとの境界部において、内側開口部１２２を覆うようにメッシュ部材１３５を陥没部１４０内に配設すればよい。
【符号の説明】
【００８７】
１                    ベタ基礎
２                    スラブ
３                    立上り部
４                    盛土
５                    施工地盤
６                    砕石
７                    捨てコンクリート
１０                  排水構造
２０，１２０          管状部材
２０Ｂ，１２０Ｂ      管状部材の貫通孔
２１，１２１          シーリング材
２３，１２３          外側端部
３０，１３０          凹部形成部材
３０Ａ，１３０Ａ      凹部形成部材の凹部
３１，１３１，１４１  凹部開口
３２，１３２，１４２  傾斜部
３３                  差込管部
３４                  差込管部の開口部（貫通孔に通じる開口部）
３５，１３５          メッシュ部材（異物遮断部材）
３６                  支持用板部
３７                  結束用突起部
３９，１３９          流入防止壁部
４０                  防蟻剤
５０                  支持脚
５１                  支持棒
１２２                内側開口部（貫通孔に通じる開口部）
１３６                残存部材
１３６ｘ              切れ込み
１４０                陥没部（凹部）
２００                一体化部材
Ａ                    凹部
Ｂ                    貫通孔
Ｊ                    支持具
Ｍ                    鉄筋
Ｗ                    型枠
【図１】
2016008445.tif 000003
【図２】
2016008445.tif 000004
【図３】
2016008445.tif 000005
【図４】
2016008445.tif 000006
【図５】
2016008445.tif 000007
【図６】
2016008445.tif 000008
【図７】
2016008445.tif 000009
【図８】
2016008445.tif 000010
【図９】
2016008445.tif 000011
【図１０】
2016008445.tif 000012
【図１１】
2016008445.tif 000013
【図１２】
2016008445.tif 000014
【図１３】
2016008445.tif 000015